(57)【要約】      （修正有）【課題】使用時における全体の柔軟性と利便性を高めた羽根無しワイヤレスドライヤーの構造を提供する。【解決手段】前側に排風口１１１を有し、後側に吸風口１１２を有し、内部の中央に複数の加熱ロッド１１３が設けられた羽根無しドライヤー本体１１、前記羽根無しドライヤー本体の底部中央に設けられるとともに、前記羽根無しドライヤー本体と連通しており、内部の底部にファン１２１が設けられ、外側にスイッチ１２０が設けられ、前記スイッチが前記加熱ロッド及び前記ファンに電気的に接続される持ち手１２、及び前記持ち手の底部に設けられるとともに、前記羽根無しドライヤー本体に電気的に接続され、内部にワイヤレス充電誘導コイル１３１、１４１及び充電バッテリ１３２が設けられているワイヤレス充電モジュール１３、を含む羽根無しワイヤレスドライヤーの構造１。【選択図】図１
0003222699.tif 000002
【実用新案登録請求の範囲】
【請求項１】
前側に排風口を有し、後側に吸風口を有し、内部の中央に複数の加熱ロッドが設けられた羽根無しドライヤー本体、
当該羽根無しドライヤー本体の底部中央に設けられるとともに、当該羽根無しドライヤー本体と連通しており、内部の底部にファンが設けられ、外側にスイッチが設けられ、当該スイッチが当該加熱ロッド及び当該ファンに電気的に接続される持ち手、及び
当該持ち手の底部に設けられるとともに、当該羽根無しドライヤー本体に電気的に接続され、内部にワイヤレス充電誘導コイル及び充電バッテリが設けられているワイヤレス充電モジュール、を含む羽根無しワイヤレスドライヤーの構造。
【請求項２】
更に、当該ワイヤレス充電モジュールを設置するためのものであって、当該ワイヤレス充電モジュールとワイヤレス誘導充電するよう接続されるワイヤレス前記充電誘導ベースを含む請求項１に記載の羽根無しワイヤレスドライヤーの構造。
【請求項３】
当該ワイヤレス前記充電誘導ベースの外形は直方体であることが好ましく、当該ワイヤレス充電モジュールが直に平置きされてワイヤレス前記誘導充電を行う請求項２に記載の羽根無しワイヤレスドライヤーの構造。
【請求項４】
当該ワイヤレス前記充電誘導ベースの内部には、当該ワイヤレス充電モジュールにおけるワイヤレス前記充電誘導コイルとワイヤレス誘導充電を行うためのワイヤレス前記充電誘導コイルが設けられている請求項２に記載の羽根無しワイヤレスドライヤーの構造。
【請求項５】
当該スイッチはタッチスイッチである請求項１に記載の羽根無しワイヤレスドライヤーの構造。
【請求項６】
当該充電バッテリはリチウムバッテリである請求項１に記載の羽根無しワイヤレスドライヤーの構造。
【請求項７】
当該排風口及び当該吸風口はいずれも円形であり、且つ、当該排風口の直径は当該吸風口の直径よりも小さい請求項１に記載の羽根無しワイヤレスドライヤーの構造。
【請求項８】
当該羽根無しドライヤー本体の内壁面には、風量をいっそう集中させられるよう螺旋が設けられている請求項１に記載の羽根無しワイヤレスドライヤーの構造。
【請求項９】
当該羽根無しドライヤー本体の当該排風口には環状の磁石が更に設けられており、当該環状の磁石は異なる形式のドライヤーヘッドを装着（交換）するためのものである請求項１に記載の羽根無しワイヤレスドライヤーの構造。
【考案の詳細な説明】
【技術分野】
【０００１】
本考案は、羽根無しワイヤレスドライヤーの構造の技術に関し、特に、ベルヌーイの定理を原理とし、羽根無しドライヤー本体とワイヤレス充電モジュールを組み合わせることで、使用時における全体の柔軟性と利便性を高めた羽根無しワイヤレスドライヤーの構造に関する。
【背景技術】
【０００２】
ドライヤーは日常生活に不可欠な道具であり、洗髪後にはドライヤーを用いて頭髪を乾かす必要がある。或いは、頭髪が乱れたときには、ドライヤーを用いてより美しく整ったヘアスタイルとなるようブローする必要がある。
【０００３】
ロングヘアの場合には頭髪を乾かすために長い時間を必要とするが、なかにはこれを面倒に思い、完全に乾かさないまま就寝する人もいる。頭髪を乾かさずに就寝することは、短期的には特に身体に不具合を生じるものではないが、長い目で見ると徐々に健康を害することになる。科学研究によれば、頭髪を乾かさないまま就寝すると顔面麻痺を誘発しやすくなるという。また、風邪を引きやすくなるほか、偏頭痛の原因となったり、枕に細菌が繁殖したりする。したがって、頭髪を乾かさずに就寝することには多くの弊害がある。
【０００４】
ところが、従来のドライヤーはコードを介して電源コンセントにつなぎ、通電させて使用する必要がある。そのため、使用者は常に１つの場所に座って頭髪に風を当てねばならず、時間が長くなると面倒になることから、頭髪をしっかり乾かさずに終えがちである。且つ、従来のドライヤーはコードを用いるため、頭髪に風を当てる際にブローの角度が思うようにならず、使用範囲が制限されてしまう。更には、家の中で自由に移動しながらブローすることも叶わない。よって、使用時における全体的な利便性が低下し、使用者は不便さから頭髪を乾かさないままとなりやすい。
【０００５】
そこで、本考案は、風力が強いだけでなく、羽根もコードも有さない設計とすることで、使用者によるブローをより柔軟且つ便利とし、更には、決まった位置に座って頭髪に風を当てる必要がなく、自宅で自由に移動しながらブローすることが可能であるとともに、コードに邪魔されることなく全体の角度を自在に変化させられるため、使用者がより素早く完全に頭髪を乾かすことができる結果、使用時の柔軟性及び利便性が確実に向上する羽根無しワイヤレスドライヤーを如何にして創出するかとの点につき主に開示する。
【考案の概要】
【考案が解決しようとする課題】
【０００６】
本考案は、羽根無しワイヤレスドライヤーの構造を提供することを目的とし、主として、使用者による頭髪のブローをより柔軟且つ便利とし、ベルヌーイの定理を原理として全体構造から発生する風力をいっそう強化して、より素早く完全な頭髪の乾燥を可能とする結果、使用時における柔軟性及び利便性が確実に向上する羽根もコードも有さない構造を提供可能とする。
【課題を解決するための手段】
【０００７】
上記の目的に達成するために、本考案は、羽根無しドライヤー本体、持ち手及びワイヤレス充電モジュールを含む羽根無しワイヤレスドライヤーの構造を提供する。羽根無しドライヤー本体は、前側に排風口を有し、後側に吸風口を有し、内部の中央に複数の加熱ロッドが設けられている。持ち手は、羽根無しドライヤー本体の底部中央に設けられるとともに、羽根無しドライヤー本体と連通している。持ち手は、内部の底部にファンが設けられており、外側にスイッチが設けられている。スイッチは加熱ロッド及びファンに電気的に接続される。ワイヤレス充電モジュールは持ち手の底部に設けられるとともに、羽根無しドライヤー本体に電気的に接続される。ワイヤレス充電モジュールの内部には、ワイヤレス充電誘導コイル及び充電バッテリが設けられている。
【０００８】
好ましい実施例において、更に、当該ワイヤレス充電モジュールを設置するためのものであって、当該ワイヤレス充電モジュールとワイヤレス誘導充電するよう接続されるワイヤレス充電誘導ベースを含む。ワイヤレス充電誘導ベースの外形は直方体であることが好ましく、ワイヤレス充電モジュールが直に平置きされてワイヤレス充電を行う。
【０００９】
好ましい実施例において、スイッチはタッチスイッチである。
【００１０】
好ましい実施例において、充電バッテリはリチウムバッテリである。
【００１１】
好ましい実施例において、排風口及び吸風口はいずれも円形であり、且つ、排風口の直径は当該吸風口の直径よりも小さい。
【００１２】
好ましい実施例において、羽根無しドライヤー本体の内壁面には、風量をいっそう集中させられるよう螺旋が設けられている。
【００１３】
好ましい実施例において、羽根無しドライヤー本体の排風口には、環状の磁石が更に設けられており、当該環状の磁石は異なる形式のドライヤーヘッドを装着（交換）するためのものである。
【図面の簡単な説明】
【００１４】
【図１】図１は、本考案に係る羽根無しワイヤレスドライヤーの構造の第１の好ましい実施例における外観の斜視図である。
【図２】図２は、本考案に係る羽根無しワイヤレスドライヤーの構造の第１の好ましい実施例における側面構造を示す図である。
【図３】図３は、本考案に係る羽根無しワイヤレスドライヤーの構造の第１の好ましい実施例における気流の流動状態を示す図である。
【図４】図４は、本考案に係る羽根無しワイヤレスドライヤーの構造の第２の好ましい実施例における外観の斜視図である。
【図５】図５は、本考案に係る羽根無しワイヤレスドライヤーの構造の第３の好ましい実施例における外観の斜視図である。
【図６】図６は、本考案に係る羽根無しワイヤレスドライヤーの構造の第３の好ましい実施例における使用状態の参考図である。
【考案を実施するための形態】
【００１５】
以下に、特定の具体的実施例を挙げて本考案の実施形態につき説明する。なお、当業者であれば、本明細書に開示の内容から本考案のその他の利点及び効果を容易に理解可能である。
【００１６】
また、以下では図面を参照して本考案の実施例につき説明するが、以下で挙げる図面は簡略化した図面であり、概略的に本考案の基本思想を記載したものにすぎない。図面には本考案に関係する構造のみを示しており、実際に実施する際の部材数や形状及びサイズに基づいて記載したものではない。そのため、実際に実施する際の各部材の形態、数量及び比率は図示したものに限らず、実際の設計に基づいて変更する必要がある。
【００１７】
まず、本考案に係る羽根無しワイヤレスドライヤーの構造の好ましい実施例における外観の斜視図、好ましい実施例の側面構造を示す図、及び好ましい実施例の気流の流動状態を示す図である図１、図２及び図３を参照する。図示するように、本考案における羽根無しワイヤレスドライヤーの構造１は、羽根無しドライヤー本体１１、持ち手１２及びワイヤレス充電モジュール１３を含む。羽根無しドライヤー本体１１は、前側に排風口１１１を有し、後側に吸風口１１２を有し、内部の中央に複数の加熱ロッド１１３が設けられている。持ち手１２は羽根無しドライヤー本体１１の底部中央に設けられており、羽根無しドライヤー本体１１と連通している。持ち手１２の内部の底部にはファン１２１が設けられており、持ち手１２の外側にはスイッチ１２０が設けられている。スイッチ１２０は加熱ロッド１１３及びファン１２１に電気的に接続される。ワイヤレス充電モジュール１３は持ち手１２の底部に設けられるとともに、羽根無しドライヤー本体１１に電気的に接続される。ワイヤレス充電モジュール１３の内部には、ワイヤレス充電誘導コイル１３１及び充電バッテリ１３２が設けられている。
【００１８】
好ましい実施例では、更に、ワイヤレス充電モジュール１３を設置するためのものであって、ワイヤレス充電モジュール１３とワイヤレス誘導充電するよう接続されるワイヤレス充電誘導ベース１４を含む。ワイヤレス充電誘導ベース１４の外形は直方体とすることが好ましい。ワイヤレス充電誘導ベース１４の内部には、ワイヤレス充電モジュール１３におけるワイヤレス充電誘導コイル１３１とワイヤレス誘導充電を行うためのワイヤレス充電誘導コイル１４１が設けられている。且つ、ワイヤレス充電モジュール１３は、ワイヤレス充電誘導ベース１４に対し直に平置きされることで、ワイヤレス誘導充電が可能となる。
【００１９】
好ましい実施例において、スイッチ１２０はタッチスイッチであり、充電バッテリ１３２はリチウムバッテリである。排風口１１１及び吸風口１１２はいずれも円形であり、且つ、排風口１１１の直径は吸風口１１２の直径よりも小さい。ただし、スイッチ１２０及び充電バッテリ１３２の形式はタッチスイッチ又はリチウムバッテリに限らず、その他の異なる実施例では、別の形式のスイッチ１２０又は別の形式の充電バッテリ１３２としてもよい。
【００２０】
図３は、本考案に係る羽根無しワイヤレスドライヤーの構造の好ましい実施例における気流の流動状態を示す図である。図示するように、本考案の羽根無しワイヤレスドライヤーの構造１は、ベルヌーイの定理を原理として利用している。実際に使用する際には、気流が吸風口１１２の空気を内側へ吸い込むが、ファン１２２からの吹き付け力と吸風口１１２からの吸気とが相乗効果を奏することで排風口１１１の風力が倍増する。よって、頭髪の乾燥時間が明らかに短縮し、使用者はより素早く頭髪を乾かすことが可能となる。且つ、ワイヤレス設計であるため、使用者は頭髪のブロー時にいっそう柔軟にドライヤーの角度を移動させられる。また、使用者は、一定の範囲内で場所を移動しながら頭髪をブローすることが可能となるため、使用時の柔軟性が明らかに向上する。更に、羽根無し設計によって、頭髪が吸風口に吸い込まれて内部の羽根に絡まるとの事態が回避されるため、使用上の安全性が高まる。
【００２１】
次に、本考案に係る羽根無しワイヤレスドライヤーの構造の第２の好ましい実施例における外観の斜視図である図４を参照する。図示するように、本考案の羽根無しドライヤー本体１１の内壁面には、更に螺旋を設けてもよい。螺旋設計によって羽根無しドライヤー本体１１の風量がより集中するため、排風口１１１からの風量がいっそう強化され、全体的な効率が高まる。
【００２２】
続いて、本考案に係る羽根無しワイヤレスドライヤーの構造の第３の好ましい実施例における外観の斜視図及び使用状態の参考図である図５及び図６を参照する。図示するように、本考案の羽根無しドライヤー本体１１の排風口１１１には、環状の磁石１１４が更に設けられている。環状の磁石１１４は、異なる形式のドライヤーヘッド１１５を装着（交換）するためのものである。このような構造設計によれば、使用者のヘアスタイル別のニーズに応じてドライヤーヘッド１１５の形式を変えられるため、全体的な運用がより柔軟となる。
【００２３】
従来技術と比較して、本考案における羽根無しワイヤレスドライヤーの構造は、主にベルヌーイの定理を原理として排風口の風力を倍増させているため、頭髪のブロー時間が短縮される。また、ワイヤレス設計によって、ブローの角度がいっそう柔軟となり、移動しながら頭髪をブローすることもできるため、使用時の柔軟性が向上する。また、羽根無し設計によって、ドライヤーの吸風口内への頭髪の巻き込みが効果的に回避されるため、使用時の安全性が向上する。このほか、ワイヤレス充電設計によって、充電時にコードを接続する必要がなくなるため、充電により便利となり、全体的な実用性と利便性が向上する。
【００２４】
上記の記載及び図面では本考案の好ましい実施例について開示したが、添付の請求項で規定する本考案の原理の精神及び範囲を逸脱することなく、本考案の好ましい実施例には各種の追加や様々な補足及び置き換えが適用され得ると解釈すべきである。当業者であれば、本考案を様々な形式、構造、配置、比率、材料、部材及びアセンブリの修正に適用可能であることを理解し得る。したがって、ここで開示した実施例は本考案を説明するためのものであって、本考案を制限するものではないと捉えるべきである。本考案の範囲は、添付の請求の範囲によって規定されるとともに、その合法的な均等物を含み、上記の記載に限定されない。
【符号の説明】
【００２５】
１      羽根無しワイヤレスドライヤーの構造
１１    羽根無しドライヤー本体
１１１  排風口
１１２  吸風口
１１３  加熱ロッド
１１４  環状の磁石
１１５  ドライヤーヘッド
１２    持ち手
１２０  スイッチ
１２１  ファン
１３    ワイヤレス充電モジュール
１３１  ワイヤレス充電誘導コイル
１３２  充電バッテリ
１４    ワイヤレス充電誘導ベース
１４１  ワイヤレス充電誘導コイル
【図１】
0003222699.tif 000003
【図２】
0003222699.tif 000004
【図３】
0003222699.tif 000005
【図４】
0003222699.tif 000006
【図５】
0003222699.tif 000007
【図６】
0003222699.tif 000008
【手続補正書】
【提出日】令和1年6月25日(2019.6.25)
【手続補正１】
【補正対象書類名】実用新案登録請求の範囲
【補正対象項目名】全文
【補正方法】変更
【補正の内容】
【実用新案登録請求の範囲】
【請求項１】
前側に排風口を有し、後側に吸風口を有し、内部の中央に複数の加熱ロッドが設けられた羽根無しドライヤー本体、
前記羽根無しドライヤー本体の底部中央に設けられるとともに、前記羽根無しドライヤー本体と連通しており、内部の底部にファンが設けられ、外側にスイッチが設けられ、前記スイッチが前記加熱ロッド及び前記ファンに電気的に接続される持ち手、及び
前記持ち手の底部に設けられるとともに、前記羽根無しドライヤー本体に電気的に接続され、内部にワイヤレス充電誘導コイル及び充電バッテリが設けられているワイヤレス充電モジュール、を含む羽根無しワイヤレスドライヤーの構造。
【請求項２】
更に、前記ワイヤレス充電モジュールを設置するためのものであって、前記ワイヤレス充電モジュールとワイヤレス誘導充電するよう接続されるワイヤレス充電誘導ベースを含む請求項１に記載の羽根無しワイヤレスドライヤーの構造。
【請求項３】
前記ワイヤレス充電誘導ベースの外形は直方体であり、前記ワイヤレス充電モジュールが直に平置きされて前記ワイヤレス誘導充電を行う請求項２に記載の羽根無しワイヤレスドライヤーの構造。
【請求項４】
前記ワイヤレス充電誘導ベースの内部には、前記ワイヤレス充電モジュールにおける前記ワイヤレス充電誘導コイルと前記ワイヤレス誘導充電を行うための前記ワイヤレス充電誘導コイルが設けられている請求項２に記載の羽根無しワイヤレスドライヤーの構造。
【請求項５】
前記スイッチはタッチスイッチである請求項１に記載の羽根無しワイヤレスドライヤーの構造。
【請求項６】
前記充電バッテリはリチウムバッテリである請求項１に記載の羽根無しワイヤレスドライヤーの構造。
【請求項７】
前記排風口及び前記吸風口はいずれも円形であり、且つ、前記排風口の直径は前記吸風口の直径よりも小さい請求項１に記載の羽根無しワイヤレスドライヤーの構造。
【請求項８】
前記羽根無しドライヤー本体の内壁面には、風量をいっそう集中させられるよう螺旋が設けられている請求項１に記載の羽根無しワイヤレスドライヤーの構造。
【請求項９】
前記羽根無しドライヤー本体の前記排風口には環状の磁石が更に設けられており、前記環状の磁石は異なる形式のドライヤーヘッドを装着するためのものである請求項１に記載の羽根無しワイヤレスドライヤーの構造。